(57)【要約】【課題】  オーディオ・ビジュアルデータ通信システム等において、鑑賞者が部屋を移動しても移動先の部屋で連続して効率的に再生すること。【解決手段】  電力線Ｌを介してオーディオデータを送信するオーディオデータ送信装置１と、電力線Ｌを介してオーディオデータを受信して再生可能であると共に部屋Ａ、Ｂに設置された再生スピーカ装置２と、再生スピーカ装置２が設置された部屋Ａ、Ｂ毎に設けられ部屋内の鑑賞者Ｘを検知すると共にこの検知情報を電力線Ｌを介して送信する検知装置３と、電力線Ｌを介して検知情報を受信すると共に検知装置３で鑑賞者Ｘを検知した部屋Ａ又は部屋Ｂの再生スピーカ装置２を制御して該再生スピーカ装置２だけでオーディオデータの再生を行う制御装置と、を備えている。【選択図】      図１
2007074710.tif 000002
【特許請求の範囲】
【請求項１】
電力線を介してオーディオ・ビジュアルデータを送信する送信装置と、
電力線を介して前記オーディオ・ビジュアルデータを受信して再生可能であると共に複数の鑑賞空間に設置された複数の再生装置と、
前記再生装置が設置された前記鑑賞空間毎に設けられ前記鑑賞空間内の鑑賞者を検知すると共にこの検知情報を電力線を介して送信する検知装置と、
電力線を介して前記検知情報を受信すると共に前記検知装置で前記鑑賞者を検知した前記鑑賞空間の前記再生装置を制御して該再生装置だけで前記オーディオ・ビジュアルデータの再生を行う制御装置と、を備えていることを特徴とするオーディオ・ビジュアルデータ通信システム。
【請求項２】
請求項１に記載のオーディオ・ビジュアルデータ通信システムにおいて、
前記検知装置が、複数の前記鑑賞者を前記鑑賞者毎に識別する認証手段を有し、
前記制御装置が、識別した前記鑑賞者に対応して前記再生装置を制御することを特徴とするオーディオ・ビジュアルデータ通信システム。
【請求項３】
請求項２に記載のオーディオ・ビジュアルデータ通信システムにおいて、
前記制御装置が、複数の前記鑑賞者に対して予め設定した優先順位に基づいて前記再生装置から再生する前記オーディオ・ビジュアルデータを選択することを特徴とするオーディオ・ビジュアルデータ通信システム。
【請求項４】
請求項２又は３に記載のオーディオ・ビジュアルデータ通信システムにおいて、
前記認証手段が、前記鑑賞者が携帯可能で無線により識別情報を送信可能な非接触識別装置と、
前記鑑賞空間毎に設けられ前記鑑賞空間内の前記非接触識別装置との間で無線により前記識別情報を受信可能な無線通信手段と、を備えていることを特徴とするオーディオ・ビジュアルデータ通信システム。
【請求項５】
請求項４に記載のオーディオ・ビジュアルデータ通信システムにおいて、
前記無線通信手段が、前記非接触識別装置から受信した前記識別情報を前記情報送信部へ無線で送信可能な無線センサであり、
前記検知装置が、前記識別情報を前記無線センサから無線で受信可能で前記検知情報を電力線を介して送信する情報送信部を備えていることを特徴とするオーディオ・ビジュアルデータ通信システム。
【請求項６】
請求項２又は３に記載のオーディオ・ビジュアルデータ通信システムにおいて、
前記認証手段が、前記鑑賞者の身体的特徴に基づいて前記鑑賞者を識別する生体認証手段であることを特徴とするオーディオ・ビジュアルデータ通信システム。
【請求項７】
送信装置が、電力線を介してオーディオ・ビジュアルデータを送信するステップと、
複数の鑑賞空間にそれぞれ設けられた検知装置が、前記鑑賞空間内の鑑賞者を検知すると共にこの検知情報を電力線を介して送信するステップと、
制御装置が、電力線を介して前記検知情報を受信すると共に複数の鑑賞空間にそれぞれ設置された再生装置のうち前記検知装置が前記鑑賞者を検知した前記鑑賞空間の再生装置を制御して該再生装置だけで前記オーディオ・ビジュアルデータの再生を行うステップと、を有していることを特徴とするオーディオ・ビジュアルデータ通信方法。
【請求項８】
送信装置が、電力線を介してオーディオ・ビジュアルデータを送信するステップと、
複数の鑑賞空間にそれぞれ設けられた検知装置が、前記鑑賞空間内の鑑賞者を検知すると共にこの検知情報を電力線を介して送信するステップと、
制御装置が、電力線を介して前記検知情報を受信すると共に複数の鑑賞空間にそれぞれ設置された再生装置のうち前記検知装置が前記鑑賞者を検知した前記鑑賞空間の再生装置を制御して該再生装置だけで前記オーディオ・ビジュアルデータの再生を行うステップと、をコンピュータに実行させることを特徴とするオーディオ・ビジュアルデータ通信プログラム。
【請求項９】
電力線を介してオーディオ・ビジュアルデータを送信する送信装置と、電力線を介して前記オーディオ・ビジュアルデータを受信して再生可能であると共に複数の鑑賞空間に設置された複数の再生装置とを備えたオーディオ・ビジュアルデータ通信システムに用いる鑑賞空間切替装置であって、
前記再生装置が設置された前記鑑賞空間毎に設けられ前記鑑賞空間内の鑑賞者を検知すると共にこの検知情報を電力線を介して送信する検知装置と、
電力線を介して前記検知情報を受信すると共に前記検知装置で前記鑑賞者を検知した前記鑑賞空間の前記再生装置を制御して該再生装置だけで前記オーディオ・ビジュアルデータの再生を行う制御装置と、を備えていることを特徴とするオーディオ・ビジュアルデータ通信システム用の鑑賞空間切替装置。
【発明の詳細な説明】
【技術分野】
【０００１】
本発明は、電力線を介してオーディオ・ビジュアルデータの再生を行うためのオーディオ・ビジュアルデータ通信システム、オーディオ・ビジュアルデータ通信方法、オーディオ・ビジュアルデータ通信プログラム及びオーディオ・ビジュアルデータ通信システム用の鑑賞空間切替装置に関する。
【背景技術】
【０００２】
従来、ＣＤプレーヤーやＤＶＤプレーヤー等のオーディオデータ送信装置からオーディオデータを複数の再生スピーカに対して送信し再生する技術として、例えば特許文献１に記載されているスピーカシステムが提案されている。
このスピーカシステムでは、１台のオーディオデータ送信装置から無線を介して、複数台設置される再生スピーカに対してオーディオデータを送信している。これにより、それぞれの再生スピーカに異なる種類のオーディオデータを再生させることを可能としている。
【０００３】
【特許文献１】特開２００１−２７５１９４号公報（特許請求の範囲、図１）
【発明の開示】
【発明が解決しようとする課題】
【０００４】
上記従来の技術には、以下の課題が残されている。
すなわち、従来のスピーカシステムは、一つの部屋内において複数の再生スピーカから再生することを前提としており、他の部屋に鑑賞者が移動した場合（例えば、リビングから台所や風呂場等へ移動した場合）を考慮していない。このため、別の部屋に移動して再生を行う場合には、移動した部屋にＣＤプレーヤー等のオーディオデータ送信装置を携帯する必要があった。また、全ての部屋にスピーカを設置すると共に一つの部屋にオーディオデータ送信装置を設置し、オーディオデータ送信装置と各スピーカとを接続して全ての部屋のスピーカで再生を行う方法も考えられるが、鑑賞者のいない部屋でも無駄な再生が行われることから効率的でないという不都合があった。
【０００５】
本発明は、前述の課題に鑑みてなされたもので、鑑賞者が部屋を移動しても移動先の部屋で効率的に再生することができるオーディオ・ビジュアルデータ通信システム、オーディオ・ビジュアルデータ通信方法、オーディオ・ビジュアルデータ通信プログラム及びオーディオ・ビジュアルデータ通信システム用の鑑賞空間切替装置を提供することを目的とする。
【課題を解決するための手段】
【０００６】
本発明は、前記課題を解決するために以下の構成を採用した。すなわち、本発明のオーディオ・ビジュアルデータ通信システムは、電力線を介してオーディオ・ビジュアルデータを送信する送信装置と、電力線を介して前記オーディオ・ビジュアルデータを受信して再生可能であると共に複数の鑑賞空間に設置された複数の再生装置と、前記再生装置が設置された前記鑑賞空間毎に設けられ前記鑑賞空間内の鑑賞者を検知すると共にこの検知情報を電力線を介して送信する検知装置と、電力線を介して前記検知情報を受信すると共に前記検知装置で前記鑑賞者を検知した前記鑑賞空間の前記再生装置を制御して該再生装置だけで前記オーディオ・ビジュアルデータの再生を行う制御装置と、を備えていることを特徴とする。
【０００７】
また、本発明のオーディオ・ビジュアルデータ通信方法は、送信装置が、電力線を介してオーディオ・ビジュアルデータを送信するステップと、複数の鑑賞空間にそれぞれ設けられた検知装置が、前記鑑賞空間内の鑑賞者を検知すると共にこの検知情報を電力線を介して送信するステップと、制御装置が、電力線を介して前記検知情報を受信すると共に複数の鑑賞空間にそれぞれ設置された再生装置のうち前記検知装置が前記鑑賞者を検知した前記鑑賞空間の再生装置を制御して該再生装置だけで前記オーディオ・ビジュアルデータの再生を行うステップと、を有していることを特徴とする。
【０００８】
また、本発明のオーディオ・ビジュアルデータ通信プログラムは、送信装置が、電力線を介してオーディオ・ビジュアルデータを送信するステップと、複数の鑑賞空間にそれぞれ設けられた検知装置が、前記鑑賞空間内の鑑賞者を検知すると共にこの検知情報を電力線を介して送信するステップと、制御装置が、電力線を介して前記検知情報を受信すると共に複数の鑑賞空間にそれぞれ設置された再生装置のうち前記検知装置が前記鑑賞者を検知した前記鑑賞空間の再生装置を制御して該再生装置だけで前記オーディオ・ビジュアルデータの再生を行うステップと、をコンピュータに実行させることを特徴とする。
【０００９】
また、本発明のオーディオ・ビジュアルデータ通信システム用の鑑賞空間切替装置は、電力線を介してオーディオ・ビジュアルデータを送信する送信装置と、電力線を介して前記オーディオ・ビジュアルデータを受信して再生可能であると共に複数の鑑賞空間に設置された複数の再生装置とを備えたオーディオ・ビジュアルデータ通信システムに用いる鑑賞空間切替装置であって、前記再生装置が設置された前記鑑賞空間毎に設けられ前記鑑賞空間内の鑑賞者を検知すると共にこの検知情報を電力線を介して送信する検知装置と、電力線を介して前記検知情報を受信すると共に前記検知装置で前記鑑賞者を検知した前記鑑賞空間の前記再生装置を制御して該再生装置だけで前記オーディオ・ビジュアルデータの再生を行う制御装置と、を備えていることを特徴とする。
【００１０】
これらのオーディオ・ビジュアルデータ通信システム、オーディオ・ビジュアルデータ通信方法、オーディオ・ビジュアルデータ通信プログラム及びオーディオ・ビジュアルデータ通信システム用の鑑賞空間切替装置では、検知装置が、鑑賞空間内の鑑賞者を検知すると共に、制御装置が、複数の鑑賞空間にそれぞれ設置された再生装置のうち検知装置が鑑賞者を検知した鑑賞空間の再生装置を制御して該再生装置だけでオーディオ・ビジュアルデータの再生を行うので、鑑賞者が存在する移動先の部屋だけでオーディオ・ビジュアルデータの再生を効率的に行うことができる。
【００１１】
また、本発明のオーディオ・ビジュアルデータ通信システムは、前記検知装置が、複数の前記鑑賞者を前記鑑賞者毎に識別する認証手段を有し、前記制御装置が、識別した前記鑑賞者に対応して前記再生装置を制御することを特徴とする。すなわち、このオーディオ・ビジュアルデータ通信システムでは、制御装置が、認証手段により識別した鑑賞者に対応して再生装置を制御するので、複数の鑑賞者が存在しても特定の鑑賞者を認識して該鑑賞者が選択したオーディオ・ビジュアルデータの再生を移動先でも行うことができる。
【００１２】
さらに、本発明のオーディオ・ビジュアルデータ通信システムは、前記制御装置が、複数の前記鑑賞者に対して予め設定した優先順位に基づいて前記再生装置から再生する前記オーディオ・ビジュアルデータを選択することを特徴とする。すなわち、このオーディオ・ビジュアルデータ通信システムでは、制御装置が、鑑賞者の優先順位に基づいて再生装置を制御するので、複数の鑑賞者が同時に同じ部屋に移動した場合に、認識した鑑賞者のうち優先順位の高い鑑賞者が選択したオーディオ・ビジュアルデータの再生を移動先で優先的に行うことができる。
【００１３】
また、本発明のオーディオ・ビジュアルデータ通信システムは、記認証手段が、前記鑑賞者が携帯可能で無線により識別情報を送信可能な非接触識別装置と、前記鑑賞空間毎に設けられ前記鑑賞空間内の前記非接触識別装置との間で無線により前記識別情報を受信可能な無線通信手段と、を備えていることを特徴とする。すなわち、このオーディオ・ビジュアルデータ通信システムでは、無線通信手段が非接触識別装置との無線通信により鑑賞空間内の鑑賞者の識別情報を受信するので、鑑賞者が移動先の部屋に入ると自動的に鑑賞者の認識が可能で、鑑賞者が認証作業を行う手間を省くことができる。
【００１４】
さらに、本発明のオーディオ・ビジュアルデータ通信システムは、前記無線通信手段が、前記非接触識別装置から受信した前記識別情報を前記情報送信部へ無線で送信可能な無線センサであり、前記検知装置が、前記識別情報を前記無線センサから無線で受信可能で前記検知情報を電力線を介して送信する情報送信部を備えていることを特徴とする。すなわち、このオーディオ・ビジュアルデータ通信システムでは、電力線通信を行う情報送信部と無線通信可能な無線センサにより識別情報を取得するので、配線無しで検知システムを構成することが可能になり、追跡システムを容易に設置することができる。また、無線センサの設置自由度が高く、設置場所の制約が少ないため、非接触識別装置の検出精度の向上や多様性の向上を図ることが可能になる。
【００１５】
また、本発明のオーディオ・ビジュアルデータ通信システムは、前記認証手段が、前記鑑賞者の身体的特徴に基づいて前記鑑賞者を識別する生体認証手段であることを特徴とする。すなわち、このオーディオ・ビジュアルデータ通信システムでは、認証手段が、鑑賞者の身体的特徴に基づいて鑑賞者を識別する生体認証手段であるので、鑑賞者自身が認証用の装置を身につけなくても、移動先でオーディオ・ビジュアルデータの再生を行うことができる。
【発明の効果】
【００１６】
本発明によれば、以下の効果を奏する。
すなわち、本発明に係るオーディオ・ビジュアルデータ通信システム、オーディオ・ビジュアルデータ通信方法、オーディオ・ビジュアルデータ通信プログラム及びオーディオ・ビジュアルデータ通信システム用の鑑賞空間切替装置によれば、検知装置が、鑑賞空間内の鑑賞者を検知すると共に、制御装置が、複数の鑑賞空間にそれぞれ設置された再生装置のうち検知装置が鑑賞者を検知した鑑賞空間の再生装置を制御して該再生装置だけでオーディオ・ビジュアルデータの再生を行うので、鑑賞者が存在する移動先の部屋だけでオーディオ・ビジュアルデータの再生を効率的に行うことができる。したがって、鑑賞者がオーディオ・ビジュアルデータの送信装置を携帯して移動しなくても、移動先の部屋で連続してオーディオ再生や画像再生を鑑賞することができる。また、電力線を介してシステムを構築しているので、通信線を追加する設備費用や工事費用が必要ないというメリットがある。
【発明を実施するための最良の形態】
【００１７】
以下、本発明に係るオーディオ・ビジュアルデータ通信システム、オーディオ・ビジュアルデータ通信方法、オーディオ・ビジュアルデータ通信プログラム及びオーディオ・ビジュアルデータ通信システム用の鑑賞空間切替装置の第１実施形態を、図１及び図２を参照しながら説明する。
【００１８】
本実施形態のオーディオデータ通信システムは、図１及び図２に示すように、例えば一般家屋等に配線され複数の家電製品等の電子機器へ電力供給を行う電力線Ｌを介して、ＣＤプレーヤー等のオーディオデータ送信装置（送信装置）１から送信されるオーディオデータを複数の部屋（鑑賞空間）Ａ、Ｂに設置された再生スピーカ装置（再生装置）２のうち鑑賞者Ｘが存在する部屋の再生スピーカ装置２から再生させるものである。
【００１９】
すなわち、このオーディオデータ通信システムは、電力線Ｌを介してオーディオデータを送信するオーディオデータ送信装置１と、電力線Ｌを介してオーディオデータを受信して再生可能であると共に壁Ｗで仕切られた部屋Ａ、Ｂに設置された複数の再生スピーカ装置２と、再生スピーカ装置２が設置された部屋Ａ、Ｂ毎に設けられ部屋Ａ、Ｂ内の鑑賞者Ｘを検知すると共にこの検知情報を電力線Ｌを介して送信する検知装置３と、を備えている。
【００２０】
上記部屋Ａ、Ｂには、それぞれ電力線Ｌから電力を得るための複数のコンセント４が設置されている。
上記オーディオデータ送信装置１は、部屋Ａ内のコンセント４に接続されており、ＣＤ等の記憶媒体から読み取ったオーディオデータに基づいて電力線Ｌを介して送信するパケットを生成するデータ生成部５と、該データ生成部５が生成したオーディオデータのパケットを電力線Ｌを介して送信するデータ送信部６と、を備えている。
【００２１】
上記再生スピーカ装置２は、オーディオデータのパケットを電力線Ｌを介して受信するデータ受信部７と、受信したパケットに基づいてオーディオデータをスピーカ部８から再生出力するオーディオデータ再生部９と、を備えている。
上記検知装置３は、部屋Ａ、Ｂを仕切る壁Ｗの両側にそれぞれ電力線Ｌに接続された状態で設置されており、各部屋Ａ、Ｂ内における鑑賞者Ｘの存在を検知する赤外線センサ等の検知部１０と、鑑賞者Ｘを検知した旨の検知情報を電力線Ｌを介して送信する情報送信部１１と、を備えている。
【００２２】
また、オーディオデータ送信装置１には、電力線Ｌを介して上記検知情報を受信すると共に検知装置３で鑑賞者Ｘを検知した部屋Ａ又は部屋Ｂの再生スピーカ装置２を制御して該再生スピーカ装置２だけでオーディオデータの再生を行う制御装置１２が設けられている。この制御装置１２は、電力線Ｌを介して上記検知情報を受信する情報受信部１３と、受信した検知情報に基づいて鑑賞者Ｘを検知した部屋Ａ又は部屋Ｂの再生スピーカ装置２だけでオーディオデータの再生を行う制御信号をデータ送信部６により電力線Ｌを介して送信させる制御部１４と、を備えている。
【００２３】
すなわち、制御部１４は、各部屋Ａ、Ｂの再生スピーカ装置２毎に識別用のスピーカＩＤ情報を割り当てて設定しており、鑑賞者Ｘを検知した部屋の再生スピーカ装置２に対応したスピーカＩＤ情報を制御信号に含めように設定されている。また、各再生スピーカ装置２のオーディオデータ再生部９は、該当するスピーカＩＤ情報を含む上記制御信号を受信した場合にのみオーディオデータの再生を行うように設定されている。
このように上記検知装置３及び上記制御装置１２は、鑑賞者Ｘの居所に応じて部屋Ａ、Ｂのいずれかでオーディオデータの再生を行うように鑑賞空間（部屋Ａ、Ｂ）を切り替える鑑賞空間切替装置である。
【００２４】
なお、本オーディオデータ通信システムにおけるデータの各処理部、すなわちデータ送信部６、データ生成部５、情報受信部１３、制御部１４、情報送信部１１、データ受信部７及びオーディオデータ再生部９等は、専用のハードウェアにより実現されるものであってもよく、また、各処理部はコンピュータシステムとしてメモリ及びＣＰＵ（中央集積装置）により構成され、各処理部の機能及び後述する本実施形態のオーディオ・ビジュアルデータ通信方法を実現するためのプログラムをメモリにロードして実行することによりその機能を実現させるものであってもよい。
すなわち、上記プログラムは、コンピュータ読み取り可能なプログラムであり、前述した機能及びオーディオ・ビジュアルデータ通信方法の一部を実現するためであってもよい。さらに、上記プログラムは、前述した機能をコンピュータシステムに既に記録されているプログラムとの組み合わせで実現できるもの、いわゆる差分ファイル（差分プログラム）であってもよい。
【００２５】
また、上記プログラムは、このプログラムを記憶装置等に格納したコンピュータシステムから伝送媒体を介して、あるいは伝送媒体中の伝送波により他のコンピュータシステムに伝送されるものであってもよい。上記伝送媒体とは、インターネット等のネットワーク（通信網）や電力線、電話回線等の通信回線（通信線）のように、情報を伝送する機能を有する媒体をいうものとする。
また、上記メモリは、ハードディスク装置や光磁気ディスク装置、フラッシュメモリ等の不揮発性のメモリや、ＣＤ−ＲＯＭ等の読み出しのみが可能な記録媒体、ＲＡＭ(Random Access Memory)のような揮発性のメモリ或いはこれらの組み合わせによるコンピュータ読み取り、書き込み可能な記録媒体より構成されるものとする。
【００２６】
次に、本実施形態のオーディオデータ通信システムによるオーディオデータの通信方法及び再生方法について説明する。
【００２７】
まず、鑑賞者Ｘが部屋Ａにおいてオーディオデータ送信装置１を操作することで、所望の楽曲等の再生を開始する。この際、部屋Ａ内の検知装置３は、検知部１０が部屋Ａ内の鑑賞者Ｘを検知すると共にこの検知情報を情報送信部１１が電力線Ｌを介して送信する。次に、制御装置１２は、情報受信部１３により上記検知情報を受信すると共に制御部１４が部屋Ａ内の再生スピーカ装置２のスピーカＩＤ情報を含んだ制御信号をデータ送信部６に出力する。
【００２８】
さらに、データ生成部５は、ＣＤ等の記憶媒体から読み取った上記所望の楽曲等のオーディオデータをパケットにしてデータ送信部６に出力する。これにより、データ送信部６は、上記制御信号及びオーディオデータのパケットを電力線Ｌを介して送信する。そして、部屋Ａ内の再生スピーカ装置２では、データ受信部７が上記制御信号及びオーディオデータのパケットを受信すると、オーディオデータ再生部９が受信したスピーカＩＤ情報と自己のスピーカＩＤ情報とが一致していることを認識してオーディオデータの再生出力を行う。なお、部屋Ｂ内の再生スピーカ装置２では、データ受信部７が上記制御信号及びオーディオデータのパケットを受信しても、オーディオデータ再生部９が受信したスピーカＩＤ情報と自己のスピーカＩＤ情報とが一致していないことを認識してオーディオデータの再生出力は行わない。
【００２９】
次に、上記オーディオデータの再生途中で鑑賞者Ｘが部屋Ａから部屋Ｂへと移動した場合について、説明する。
鑑賞者Ｘが部屋Ｂに移動すると、部屋Ｂ内の検知装置３の検知部１０が、部屋Ｂ内の鑑賞者Ｘを検知すると共にこの検知情報を情報送信部１１が電力線Ｌを介して送信する。次に、制御装置１２は、情報受信部１３により新たな検知情報を受信すると共にこの新たな検知情報に基づいて制御部１４が部屋Ｂ内の再生スピーカ装置２のスピーカＩＤ情報を含んだ新たな制御信号をデータ送信部６に出力する。
【００３０】
データ生成部５は、引き続き上記所望の楽曲等のオーディオデータをパケットにしてデータ送信部６に出力するが、データ送信部６は、新たな制御信号を含めてオーディオデータのパケットを電力線Ｌを介して送信する。そして、部屋Ｂ内の再生スピーカ装置２では、データ受信部７が新たな制御信号及びオーディオデータのパケットを受信すると、オーディオデータ再生部９が受信したスピーカＩＤ情報と自己のスピーカＩＤ情報とが一致していることを認識してオーディオデータの再生出力を行う。なお、部屋Ａ内の再生スピーカ装置２では、データ受信部７が新たな制御信号を受信し、オーディオデータ再生部９が受信したスピーカＩＤ情報と自己のスピーカＩＤ情報とが一致していないことを認識するため、オーディオデータの再生出力を停止する。
【００３１】
このように本実施形態では、検知装置３が、部屋Ａ又はＢ内の鑑賞者Ｘを検知すると共に、制御装置１２が、部屋Ａ及び部屋Ｂにそれぞれ設置された再生スピーカ装置２のうち検知装置３が鑑賞者Ｘを検知した部屋の再生スピーカ装置２を制御して該再生スピーカ装置２だけでオーディオデータの再生を行うので、鑑賞者Ｘが存在する移動先の部屋だけでオーディオデータの再生を効率的に行うことができる。したがって、鑑賞者Ｘがオーディオデータ送信装置１を携帯して移動しなくても、移動先の部屋Ｂで連続してオーディオ再生を鑑賞することができる。また、電力線Ｌを介してシステムを構築しているので、通信線を追加する設備費用や工事費用が必要ないというメリットがある。
【００３２】
次に、本発明に係るオーディオ・ビジュアルデータ通信システム及びオーディオ・ビジュアルデータ通信方法並びにオーディオ・ビジュアルデータ通信プログラムの第２実施形態を、図３を参照しながら説明する。なお、以下の各実施形態の説明において、上記実施形態において説明した同一の構成要素には同一の符号を付し、その説明は省略する。
【００３３】
第２実施形態と第１実施形態との異なる点は、第１実施形態では検知装置３が部屋Ａ又はＢ内の鑑賞者Ｘの存在の有無だけを検知して検知情報を送信するのに対し、第２実施形態では、図３に示すように、検知装置２１が、鑑賞者の存在だけでなく複数の鑑賞者Ｘ、Ｙを鑑賞者Ｘ、Ｙ毎に識別する認証手段２４を有し、制御装置１２が、識別した鑑賞者Ｘ、Ｙに対応して再生スピーカ装置２を制御する点である。
【００３４】
すなわち、第２実施形態では、検知装置２１の認証手段２４が、鑑賞者Ｘ、Ｙが携帯可能で無線により識別情報を送信可能な非接触ＩＣカードであるＲＦ−ＩＤ（Radio Frequency IDentification）カード（非接触識別装置）２２ｘ、２２ｙと、部屋Ａ、Ｂ毎に設けられ部屋Ａ、Ｂ内のＲＦ−ＩＤカード２２ｘ、２２ｙとの間で無線により上記識別情報を受信可能な無線通信部（無線通信手段）２３と、を備えている。なお、各ＲＦ−ＩＤカード２２ｘ、２２ｙは、それぞれ対応する鑑賞者Ｘ、Ｙの識別情報を有しており、電磁誘導によって無線通信部２３と識別情報のデータ通信を行う。
【００３５】
また、検知装置２１は、無線通信部２３が受信した識別情報を電力線Ｌを介して送信する情報送信部１１を備えている。
さらに、第２実施形態の制御装置１２は、鑑賞者Ｘ、Ｙに対して予め設定した優先順位に基づいて再生スピーカ装置２から再生するオーディオデータを選択するように設定されている点でも第１実施形態と異なっている。
【００３６】
この第２実施形態におけるオーディオデータ通信システムによるオーディオデータの通信方法及び再生方法について説明する。
【００３７】
例えば、鑑賞者Ｘが父親であり、鑑賞者Ｙがその子供である場合、両者がそれぞれ別々の選曲をして異なる楽曲のオーディオデータを再生するように設定し、父親の鑑賞者Ｘだけが部屋Ｂに移動したとすると、部屋Ｂの検知装置２１は、無線通信部２３が鑑賞者ＸのＲＦ−ＩＤカード２２ｘを検知すると共にＲＦ−ＩＤカード２２ｘの識別情報を無線により受信する。そして、情報送信部１１では、この識別情報を電力線Ｌを介して送信する。
【００３８】
さらに、制御装置の制御部１４では、情報受信部１３で受信した識別情報により部屋Ｂに父親の鑑賞者Ｘが存在することを認識し、鑑賞者Ｘが選択したオーディオデータを部屋Ｂの再生スピーカ装置２のスピーカＩＤ情報を含めて送信する。部屋Ｂの再生スピーカ装置２では、データ受信部７がスピーカＩＤ情報を含むオーディオデータを電力線Ｌを介して受信すると共にオーディオデータ再生部９においてスピーカＩＤ情報が自己のスピーカＩＤ情報と一致することを確認し、オーディオデータを再生出力する。なお、部屋Ａの再生スピーカ装置２では、自己のスピーカＩＤ情報と受信したスピーカＩＤ情報とが一致しないため、鑑賞者Ｘが選択したオーディオデータの再生出力は行わない。
【００３９】
また、図３に示すように、父親の鑑賞者Ｘ及び子供の鑑賞者Ｙの両者が部屋Ｂに共に移動したとすると、部屋Ｂの検知装置２１は、無線通信部２３が鑑賞者Ｘ、Ｙの各ＲＦ−ＩＤカード２２ｘ、２２ｙを検知すると共にそれぞれの識別情報を無線により受信する。そして、情報送信部１１では、この各識別情報を電力線Ｌを介して送信する。さらに、制御装置の制御部１４では、情報受信部１３で受信した各識別情報により部屋Ｂに父親の鑑賞者Ｘ及び子供の鑑賞者Ｙが存在することを認識し、予め鑑賞者Ｘ、Ｙに対して予め設定した優先順位に基づいて再生スピーカ装置２から再生するオーディオデータを選択してデータ生成部５に再生すべきオーディオデータを出力する。
【００４０】
すなわち、子供の鑑賞者Ｙよりも父親の鑑賞者Ｘの方が優先順位を高く設定しておくことにより、制御部１４が、子供の鑑賞者Ｙが選曲した楽曲よりも父親の鑑賞者Ｘが選曲した楽曲のオーディオデータを優先的に選択してこれをデータ生成部５に再生すべきオーディオデータとして出力する。これにより、データ生成部５は、制御部１４により出力された父親の鑑賞者Ｘが選曲した楽曲のオーディオデータをパケットにし、データ送信部６が電力線Ｌを介して送信する。次に、部屋Ｂの再生スピーカ装置２は、データ受信部７により制御信号及び父親の鑑賞者Ｘが選曲した楽曲のオーディオデータを受信すると共にオーディオデータ再生部９より再生出力する。
【００４１】
このように本実施形態では、制御装置１２が、認証手段２４により識別した鑑賞者Ｘ、Ｙに対応して再生スピーカ装置２を制御するので、複数の鑑賞者Ｘ、Ｙが存在しても特定の鑑賞者Ｘを認識して該鑑賞者Ｘが選択したオーディオデータの再生を移動先でも行うことができる。
また、制御装置１２が、鑑賞者Ｘ、Ｙの優先順位に基づいて再生スピーカ装置２を制御するので、鑑賞者Ｘ、Ｙが同時に同じ部屋Ｂ等に移動した場合に、認識した鑑賞者Ｘ、Ｙのうち優先順位の高い鑑賞者Ｘが選択したオーディオデータの再生を優先的に移動先で行うことができる。
【００４２】
さらに、無線通信部１１がＲＦ−ＩＤカード２２ｘ、２２ｙとの無線通信により部屋Ａ、Ｂ内の鑑賞者Ｘ、Ｙの識別情報を受信するので、鑑賞者Ｘ、Ｙが移動先の部屋Ａ又はＢに入ると自動的に鑑賞者Ｘ、Ｙの認識が可能で、鑑賞者Ｘ、Ｙが認証作業を行う手間を省くことができる。
【００４３】
次に、本発明に係るオーディオ・ビジュアルデータ通信システム及びオーディオ・ビジュアルデータ通信方法並びにオーディオ・ビジュアルデータ通信プログラムの第３実施形態及び第４実施形態を説明する。
【００４４】
第３実施形態と第２実施形態との異なる点は、第２実施形態では、ＲＦ−ＩＤカード２２ｘ、２２ｙ及び無線通信部２３を有する認証手段２４を採用しているのに対し、第３実施形態では、認証手段として、鑑賞者Ｘ、Ｙの身体的特徴に基づいて鑑賞者Ｘ、Ｙを識別する生体認証手段を採用している点である。
【００４５】
例えば、上記生体認証手段としては、鑑賞者Ｘ、Ｙの指先をスキャンして指紋を読み取って識別を行う指紋認証、鑑賞者Ｘ、Ｙの黒目の模様をスキャンして読み取り識別を行う虹彩認証 、鑑賞者Ｘ、Ｙの発音した声を解析して識別する声紋認証、鑑賞者Ｘ、Ｙの顔形状を撮影して識別を行う顔認証 、鑑賞者Ｘ、Ｙの掌内等の静脈を赤外線によりスキャンして読み取り識別を行う静脈認証等の認証装置が採用される。
したがって、認証手段が、鑑賞者Ｘ、Ｙの身体的特徴に基づいて鑑賞者Ｘ、Ｙを識別する生体認証手段であるので、鑑賞者Ｘ、Ｙ自身が認証用のＲＦ−ＩＤカード２２ｘ、２２ｙ等を身につけなくても、移動先でオーディオデータの再生を行うことができる。
【００４６】
第４実施形態と第２実施形態との異なる点は、第２実施形態では、検知装置２１が有線接続されている情報送信部１１及び無線通信部２３を備えているのに対し、第４実施形態では、図４に示すように、検知装置１２１が、鑑賞者Ｘ、Ｙの各ＲＦ−ＩＤカード２２ｘ、２２ｙを検知すると共にそれぞれの識別情報を無線により受信し、さらに識別情報を無線送信する無線通信部である無線センサ（無線通信手段）１２３と、受信した識別情報を電力線Ｌを介してサーバとしての制御装置１２に送信する情報送信部である無線ＰＬＣブリッジ１１１とを備えている点で異なっている。
【００４７】
すなわち、第４実施形態では、無線センサ１２３と無線ＰＬＣブリッジ１１１とを無線通信で接続することにより、配線無しで検知システムを構成することが可能になり、追跡システムを容易に設置することができる。また、無線センサ１２３の設置自由度が高く、設置場所の制約が少ないため、ＲＦ−ＩＤカード２２ｘ、２２ｙの検出精度の向上や多様性の向上を図ることが可能になる。
【００４８】
なお、本発明の技術範囲は上記実施形態に限定されるものではなく、本発明の趣旨を逸脱しない範囲において種々の変更を加えることが可能である。
【００４９】
上記各実施形態では、電力線Ｌを介してオーディオデータの送受信を行う場合について説明したが、電力線Ｌを介してオーディオデータだけでなくビジュアルデータを送受信しても構わない。この場合、上記オーディオデータ送信装置１の代わりにＤＶＤプレーヤー等のビジュアルデータ再生装置が採用されると共に、再生スピーカ装置２の代わりに液晶ディスプレイ装置等の再生装置が採用される。
【００５０】
また、上記各実施形態では、検知装置３、２１を各部屋Ａ、Ｂの壁Ｗに設置しているが、各部屋Ａ、Ｂの再生スピーカ装置２に検知装置を内蔵させても構わない。
さらに、制御装置１２をオーディオデータ送信装置１に設けているが、制御装置１２をオーディオデータ送信装置１と別個独立にして電力線Ｌに接続させても構わない。
また、第２実施形態では、非接触識別装置としてＲＦ−ＩＤカード２２ｘ、２２ｙを用いているが、他の非接触識別装置としてＲＦ−ＩＤタグを採用しても構わない。
【図面の簡単な説明】
【００５１】
【図１】本発明に係る第１実施形態のオーディオ・ビジュアルデータ通信システム及びオーディオ・ビジュアルデータ通信方法並びにオーディオ・ビジュアルデータ通信プログラムにおいて、オーディオデータ通信システムを示す全体構成図である。
【図２】第１実施形態において、オーディオデータ通信システムを示すブロック構成図である。
【図３】第２実施形態において、オーディオデータ通信システムを示すブロック構成図である。
【図４】第４実施形態において、オーディオデータ通信システムを示すブロック構成図である。
【符号の説明】
【００５２】
１…オーディオデータ送信装置（送信装置）、２…再生スピーカ装置（再生装置）、３、２１、１２１…検知装置、１２…制御装置、２２ｘ、２２ｙ…ＲＦ−ＩＤカード（非接触識別装置）、２３…無線通信部（無線通信手段）、２４…認証手段、１１１…無線ＰＬＣブリッジ、１２３…無線センサ（無線通信手段）、Ａ、Ｂ…部屋（鑑賞空間）、Ｘ、Ｙ…鑑賞者、Ｌ…電力線
【図１】
2007074710.tif 000003
【図２】
2007074710.tif 000004
【図３】
2007074710.tif 000005
【図４】
2007074710.tif 000006